(57)【要約】【課題】  ごみや物品の収納袋類や日除けなどのシート状物、および箱型容器や掲示板などの板状材および種々の形状寸法の物品類などを着脱容易に且つずれ落ちや外れなどの生じないように保持するシート状物把持クリップとその吊り下げ具とその装置を提案する。【解決手段】  一対の挟持片１の内側の挟持部１ａとその外側の挟持部１ｂを相互に対向して重なり合うように互いに内向きに屈曲させ、さらに内側の挟持部１ａに切り込みを入れて外側に折り曲げ、外側の挟持部１ｂが前記切り込みの基端部２１に突き当たるように噛み合うことにより形成されるシート状物把持クリップＫ１と、そのクリップの吊孔に連結した線状連結部材２と、対向する２枚の粘着テープ６１またはシート状物７１または９１または帯状材８１の何れかで構成する連結補助材５３とによる、連結補助材付シート状物および物品の吊り下げ具、およびその吊り下げ具を活用した吊り下げ装置による。【選択図】  図５
2006316958.tif 000002
【特許請求の範囲】
【請求項１】
幅広の挟持部と吊孔付きの摘み部とから成る一対の挟持片を閉方向に付勢するバネを介して中間の支持部で枢支する挟み具において、一対の挟持片（１）の挟持部を相互に対向してすれ違うように且つ内側と外側に重なり合うように互いに内向きに屈曲させ、内側の挟持部（１ａ）とその外側の挟持部（１ｂ）とが相互に対向して重なり合うように回動し且つ噛み合うシート状物把持クリップを形成し、対象となる固定先に対する係止手段を備えた線状連結部材（２）を前記シート状物把持クリップの吊孔に連結して成るシート状物吊り下げ具。
【請求項２】
請求項１のシート状物吊り下げ具において、シート状物把持クリップの内側の挟持部（１ａ）に切り込みを入れて切り込み間部位を一つ置きに外側に折り曲げ、外側の挟持部（１ｂ）の先端部が外側に折り曲げられた前記切り込み間部位の基端部（２１）に突き当たるように形成したことを特徴としたシート状物吊り下げ具。
【請求項３】
請求項１のシート状物吊り下げ具において、シート状物把持クリップの内側の挟持部（１ａ）の屈曲部の外側面に、外側の挟持部（１ｂ）に被さるように折り曲げ片（３１）を固着し、外側の挟持部（１ｂ）の先端部が前記折り曲げ片（３１）の固着部（３２）に突き当たるように形成したことを特徴としたシート状物吊り下げ具。
【請求項４】
請求項１乃至３のシート状物吊り下げ具において、相互に対向して重なり合い噛み合う挟持部の表面に引っ張りずれ防止手段及び／又は傷付き防止手段を備えたことを特徴としたシート状物吊り下げ具。
【請求項５】
先端部側には連結物に対する結合部（５１）を形成し、基端部側には前記シート状物把持クリップの挟持部で折り曲げ変形させて把持できるシート部（５２）を形成した連結補助部材（５３）を、請求項１乃至４のうちいずれか１項に記載のシート状物吊り下げ具に把持させて成るシート状物および物品の連結補助部材付き吊り下げ具。
【請求項６】
請求項５の連結補助部材付き吊り下げ具において、連結補助部材（５３）の結合部（５１）は２枚の粘着テープ（６１）をその両方の粘着面を対向させるとともに対向粘着面間に剥離紙（６２）を介設し、シート部（５２）は２枚の粘着テープ（６１）の粘着面を貼り合せたことを特徴としたシート状物および物品の連結補助部材付き吊り下げ具。
【請求項７】
請求項５の連結補助部材付き吊り下げ具において、連結補助部材（５３）の結合部（５１）は２枚のシート状材（７１）に取付け手段を備えた樹脂板または金属板の取付け板（７２）を添設し、シート部（５２）は２枚のシート状材（７１）を重ね合わせたことを特徴としたシート状物および物品の連結補助部材付き吊り下げ具。
【請求項８】
請求項５の連結補助部材付き吊り下げ具において、連結補助部材（５３）の結合部（５１）およびシート部（５２）を共に連結機能をもつ帯状材（８１）としたことを特徴としたシート状物および物品の連結補助部材付き吊り下げ具。
【請求項９】
請求項５の連結補助部材付き吊り下げ具において、連結補助部材（５３）の結合部（５１）は２枚のシート状材（９１）に両面テープ（９２）を添設し、シート部（５２）は２枚のシート状材（９１）を重ね合わせたことを特徴としたシート状物および物品の連結補助部材付き吊り下げ具。
【請求項１０】
請求項１乃至請求項９の係止手段が、請求項１乃至請求項４のいずれかに記載のシート状物把持クリップまたは請求項５乃至請求項９の何れかに記載の連結補助部材付きシート状物把持クリップであることを特徴とするシート状物および物品の連結補助部材付き吊り下げ具。
【請求項１１】
請求項１乃至請求項４のいずれかに記載のシート状物把持クリップまたは請求項５乃至請求項９の何れかに記載の連結補助部材付きシート状物把持クリップの吊孔付きの摘み部に取り付け機能付の摘み部延長材を備えたことを特徴とするシート状物把持クリップおよび連結補助部材付きのシート状物把持クリップ。
【請求項１２】
基台上に直立支柱を１本または複数本直立させるか、またはその支柱の上部に横架材を配着し、前記直立支柱また前記横架材に、請求項１乃至請求項４に記載の何れかのシート状物吊り下げ具または請求項５乃至請求項１０記載の何れかに記載のシート状物および物品の連結補助部材付き吊り下げ具を連結して成るシート状物および物品の吊り下げ装置。
【請求項１３】
シートの周縁部に請求項１乃至請求項４に記載の何れかのシート状物吊り下げ具または請求項５乃至請求項１０記載の何れかに記載のシート状物および物品の連結補助部材付き吊り下げ具を使用した吊り下げ具付きシート。
【発明の詳細な説明】
【技術分野】
【０００１】
本発明は、物品やごみなどを収納する収納用の袋や日除けや雨除け用のシートなどのシート状物、および、本発明の連結補助部材を介して吊下げ保持する種々のシート状物や物品などについて、着脱容易に且つ外れやずれ落ちを生じることなく吊下げ保持する本発明のシート状物把持クリップ、および、そのシート状物把持クリップを活用した本発明のシート状物および物品の吊下げ具とその吊下げ具を活用した吊下げ装置に関する。
【背景技術】
【０００２】
従来、物品やごみなどを収納する袋を着脱容易に吊下げ保持するための手段としては、スタンド型の袋保持具などにより袋上部の折り返し部をリングや止め具などで押えて吊り下げ保持する手段などがある。また、日除けシートや雨除けシートなどのシート状物を保持するための手段としては、シートを取り付けするためにシートの周縁部にハトメ加工などを施したシートを支柱と横架材で構成する骨組み材に取り付けて保持する日除けや雨除けの装置などがある。
【０００３】
これらの保持手段については次のような提案がされている。
【特許文献１】特開２００２−１５３６９８    洗濯物ハンガー
【特許文献２】特開２００３−２６７５０６    袋もの支持スタンド
【特許文献３】特開２００１−３０１９０８    分別スタンド
【特許文献４】特開２００３−４１７２７      ベランダ用日除け装置
【特許文献５】特開２００１−２６２８０１    雨除け日除け用カーテン装置
【特許文献６】実開平７−１３９４９          日除け装置
【特許文献７】特開平１０−１０９４８５      クリップ
【特許文献８】特開平２００２−０８５８９７  物品吊下げ具
【発明の開示】
【発明が解決しようとする課題】
【０００４】
上述した従来例において、特許文献１の洗濯物ハンガーについては、脱落し難い機能を備えたものとなっているが、着脱容易のものではなく、且つ構造が複雑でコスト高になることなどの問題がある。また、特許文献２、３の袋もの支持スタンドおよび分別スタンドについては、分別機能を備えたものとなっているが、装着する袋の形状やサイズが限定されるものであり、且つ構造が複雑でコスト高になることなどの問題がある。また、特許文献４、５、６の日除け装置については、日除けの機能を備えたものとなっているが、着脱容易のものではなく、且つ日除けシートの形状やサイズが限定されるものであり、且つ構造が複雑でコスト高になることなどの問題がある。
【０００５】
また、特許文献７のクリップについては、着脱容易に吊下げ保持する機能を備えたものとなっているが、脱落し難い機能を的確に備えたものとはなっていないので、吊下げ保持するものが小型軽量のものに限定されるものであることなどの問題がある。また、特許文献８の物品吊下げ具については、室内のカーテンレールを利用した備え付けのもので吊下げる場所や吊下げ物が限定されるものであり、且つ構造が複雑でコスト高になることなどの問題がある。
【０００６】
そこで、これらの問題を解決するために、物品やごみなどを収納する収納用の袋や日除けや雨除け用のシートなどのシート状物について、着脱容易に且つ外れやずれ落ちなどが生じないように的確に把持でき、且つ構造が簡単で低コストであることを主眼として、本発明のシート状物把持クリップとそのシート状物把持クリップを備えたことを特徴とするシート状物の吊り下げ具とそれを活用した吊下げ装置を提案する。
【０００７】
また、分厚く丈夫で堅い素材のシート状物を用いた収納袋や日除け雨除けシートなどのシート状物、および、箱型容器や掲示板などの板状物やその他種々の物品などについても、前記のシート状物把持クリップに本発明の連結補助材を備えることによって、着脱容易に且つ外れやずれ落ちなどが生じないように的確に把持できることを特徴とする本発明のシート状物および物品の連結補助材付き吊り下げ具とそれを活用した吊下げ装置を提案する。
【課題を解決するための手段】
【０００８】
上記の課題を解決するために、本発明は、幅広の挟持部と吊孔付きの摘み部とから成る一対の挟持片を閉方向に付勢するバネを介して中間の支持部で枢支する挟み具において、一対の挟持片の挟持部を相互に対向してすれ違うように且つ内側と外側に重なり合うように互いに内向きに屈曲させ、内側の挟持部とその外側の挟持部とが相互に対向して重なり合うように回動し且つ噛み合うシート状物把持クリップを形成し、対象となる固定先に対する係止手段を備えた線状連結部材を前記シート状物把持クリップの吊孔に連結して成るシート状物吊り下げ具を設けたことを特徴とする。
【０００９】
また、前記のシート状物吊り下げ具において、シート状物把持クリップの内側の挟持部に切り込みを入れて切り込み間部位を一つ置きに外側に折り曲げ、外側の挟持部の先端部が、外側に折り曲げられた前記切り込み間部位の基端部に突き当たるように形成したシート状物把持クリップを備えたことを特徴とする。
【００１０】
また、前記のシート状物吊り下げ具において、シート状物把持クリップの内側の挟持部の屈曲部の外側面に、外側の挟持部に被さるように折り曲げ片を固着し、外側の挟持部の先端部が前記折り曲げ片の固着部に突き当たるように形成したシート状物把持クリップを備えたことを特徴とする。
【００１１】
また、前記のシート状物吊り下げ具において、シート状物把持クリップの相互に対向して重なり合い噛み合う挟持部の表面に、引っ張りずれ防止手段及び／又は傷付き防止手段を備えたことを特徴とする。
【００１２】
また、前記のうちのいずれかのシート状物吊り下げ具において、先端部側には連結物に対する結合部を形成し、基端部側には前記シート状物把持クリップの挟持部で折り曲げ変形させて把持できるシート部を形成した連結補助部材を把持させて成るシート状物および物品の連結補助部材付き吊り下げ具を備えたことを特徴とする。
【００１３】
ここで、連結補助部材の結合部は２枚の粘着テープをその両方の粘着面を対向させるとともに対向粘着面間に剥離紙を介設し、シート部は２枚の粘着テープの粘着面を貼り合せたものとすることが可能である。
【００１４】
また、連結補助部材の結合部は２枚のシート状材に取付け手段を備えた樹脂板または金属板の取付け板を添設し、シート部は２枚のシート状材を重ね合わせたものとすることが可能である。
【００１５】
また、連結補助部材の結合部およびシート部を共に連結機能をもつ帯状材のものとすることが可能である。
【００１６】
また、連結補助部材の結合部は２枚のシート状材に両面テープを添設し、シート部は２枚のシート状材を重ね合わせたものとすることが可能である。
【００１７】
また、前記の係止手段が、前記のシート状物把持クリップまたは連結補助部材付きのクリップであるシート状物および物品の連結補助部材付き吊り下げ具であることを特徴とする。
【００１８】
また、シート状物把持クリップまたは連結補助部材付きシート状物把持クリップの吊孔付きの摘み部に取り付け機能付の摘み部延長材を備えたシート状物把持クリップおよび連結補助部材付きクリップであることを特徴とする。
【００１９】
また、シート状物および物品の吊り下げ装置が、基台上に直立支柱を１本または複数本直立させるか、またはその支柱の上部に横架材を配着し、前記直立支柱または横架材に、前記のシート状物吊り下げ具またはシート状物および物品の連結補助部材付き吊り下げ具を連結して成るシート状物および物品の吊り下げ装置であることを特徴とする。
【００２０】
また、吊り下げ具付きシートが、シートの周縁部にシート状物吊り下げ具またはシート状物および物品の連結補助部材付き吊り下げ具を使用した吊り下げ具付きシートであることを特徴とする。
【発明の効果】
【００２１】
従来のクリップは、図１７に図示されるように、シート状物を折り曲げすることなく、一箇所の押付けだけで保持するので、ビニール袋などのシート状物を吊り下げ保持した際に外れやずれ落ちが生じ易いものになっている。これに対して図２に図示するような本発明のシート状物把持クリップは、図４および図１６に図示されるように、折り曲げた挟持部先端部の噛み合いによるＡ、Ｂ、Ｅの三箇所の折り曲げと押付け、およびＣとＤの二箇所の挟持部の重なり噛み合いによる挟持部側面部全面押付け密着により、ビニール袋などのシート状物を吊り下げ保持した際に、外れやずれ落ちを生じないように的確に保持することができる。
【００２２】
また、これによりビニール袋などのシート状物を吊り下げ保持する際に、ネジの締め付けなどによるずれ留め手段を必要とすることなく、本発明のシート状物把持クリップの摘み部を指先で押付けるだけで、ビニール袋などのシート状物を外れやずれ落ちを生じないように的確に且つ着脱容易に吊り下げ保持することができる。
【００２３】
また、図２の（ロ）に図示されるように、シート状物把持クリップのずれ及び傷付きの防止手段として、相互に対向して重なり合い噛み合う挟持部の表面に、ゴム材や樹脂材などのクッション材を備えることなどの手段を施すことにより、重い収納物などを吊り下げても外れやずれ落ちなどを生ずることなく的確に保持することができる。また、シート状物把持クリップの挟持部の折り曲げ部に折り曲げ片の補強材を備えることにより、重い収納物などを吊り下げても外れやずれ落ちなどを生ずることのない丈夫なシート状物把持クリップで的確に保持することができる。
【００２４】
また、本発明のシート状物把持クリップの吊孔に線状連結部材を連結したシート状物吊り下げ具とその吊り下げ具を備えた吊り下げ装置を活用して、図９に示すような使い方をすることにより、種々の場所や位置でビニール袋などのシート状物を外れやずれ落ちを生じないように的確に且つ着脱容易に且つ開口状態で吊り下げ保持することができる。
【００２５】
また、図５から図８に図示されるような本発明の折り曲げ変形可能な素材から成る連結補助部材を介して保持することにより、本発明のシート状物把持クリップだけでは吊り下げ保持することが困難である分厚く堅い素材の袋類のシート状物や、種々の形状寸法の箱型容器および物品などを外れやずれ落ちを生じないように的確に且つ着脱容易に吊り下げ保持することができる。
【００２６】
そしてこれにより、図５から図８に図示されるような本発明の連結補助部材を備えたシート状物および物品の連結補助部材付き吊り下げ具とその吊り下げ具を備えた吊り下げ装置を活用して、図９に示すような使い方をすることにより、種々の場所や位置で、分厚く堅い素材の袋類のシート状物や、種々の形状寸法の箱型容器および物品などを、外れやずれ落ちを生じないように的確に且つ着脱容易に吊り下げ保持することができる。
【００２７】
また、図１０に示すような使い方をすることにより、大型の物品や、重量のある物品や、分厚く堅い袋や、箱型容器や、掲示板や仕切板などの板状材などについても、折り曲げ変形可能な素材から成る連結補助部材を介してシート状物把持クリップで挟持することにより、前記の袋などのシート状物と同じく、的確な把持力のもとに外れやずれ落ちなどが生じないように的確に且つ着脱容易に吊り下げ保持することができる。
【００２８】
つぎに、図９に示すような使い方をすることにより、事業所や公共の場所やイベント会場や家庭などの種々の場所で、種々の形状寸法の複数の収納袋を着脱容易に且つ開口状態で吊下げ保持して、合理的な分別収納が容易にできる。例えばアルミ缶やペットボトルなどのように嵩張って収納量も多い資源物の収納物は、大きく開口した大型のごみ袋に収納することができる。また、ビン類や鉄屑類や種々の不燃物や危険物などの排出物は、連結補助材を備えた分厚く丈夫な素材の袋を線状連結部材により床面に接地した状態で吊下げて収納することができる。
【００２９】
また、直立支柱または横架材に複数個の収納袋を必要時に必要なだけ必要なサイズの袋を着脱容易に吊下げ保持することにより、中身が少なくても常時嵩張る容器をいくつも並べて置く必要の無い収納ができる。また、後述する合理的な物品調達に準じた合理的な分別収納が容易にできる。これにより、種々の資源物や危険物や不燃物の分別収納を、一つの吊下げ装置で、一箇所で、収納物の溜まった袋をそのまま着脱容易に外して排出できる合理的な分別収納が容易にできる。
【００３０】
つぎに、図９や図１０および図１４に示すような使い方ができるシート状物および物品の吊り下げ具および吊り下げ装置の活用法として、例えば作業場の所定の物品収納場所に適時適量の物品を調達する手段として活用するとつぎのような具体的な効果が得られる。
【００３１】
従来の棚や収納箱などによる保管手段では、収納量に関係なく常時固定的な占有スペースを要するものになっているが、収納袋を着脱容易に装着できることにより、本発明のシート状物吊り下げ装置を必要時に必要な場所に配備し、空中スペースを有効活用する合理的な保管管理および調達管理ができる。
【００３２】
また、線状連結部材により、吊り高さを調整し袋を床面に接地した状態で吊下げ保持できるので、大きいものや重いものを収納した袋でも袋や吊り下げ装置に荷重負担を掛けることなく且つ安定した状態で吊り下げ保持ができる。また、線状連結部材により、例えば小さい物品入りの袋が大きい物品入りの袋の下積みなって見つかり難い場合などでも繋いでいる線状連結部材を引き出すことによって、物品探しや紛失やなどがなく、合理的な物品保管管理および調達管理ができる。
【００３３】
また、袋を開口状態で吊り下げ保持ができるので、収納物の出し入れが容易にできる吊り下げ保持ができる。また、連結補助部材により、種々の材質や寸法の箱型容器をシート状物把持クリップで吊り下げ保持ができる。また、分厚く堅い素材の袋についても、同様にシート状物把持クリップで吊り下げ保持ができる。
【００３４】
また、収納袋を着脱容易に装着できることにより、空袋の回収や整理が簡単にでき、また、回収した袋の物品ごとに次使用の物品の調達が袋単位でできるので合理的な物品調達ができる。また、収納物の形状寸法や材質に適合した収納袋を低コストで簡単に取り揃えることができる。そしてこれにより、汚れ物の収納物や清潔度を要する収納物などについては使い捨てにすることも低コストで簡単にできるので合理的な物品調達ができる。また、収納袋が収納量の増加に従って膨らみ、収納量のない場合や少ない場合は小スペースとなるので合理的な物品調達ができる。また、収納袋を着脱容易に装着できることにより、収納物の整理整頓が簡単にできる合理的な物品調達ができる。また、透明で中身が見える袋に物品を入れることにより、物品の調達管理が容易にできる合理的な物品調達ができる。
【００３５】
また、図１１から図１３に示すような使い方をすることにより、シートの周縁部にシート取付け用のハトメ加工などの細工を要することなく吊下げ保持することができ、且つ種々の形状寸法のシートを種々の場所や位置に晴雨の天候などに応じて着脱容易に且つ外れやずれ落ちを生じないように的確に且つ低コストでセットして吊り下げ保持することができる。
【００３６】
また、図９や図１０の装置による使い方をする外に、図１４に示すようなシート状物および物品の吊り下げ具を活用することにより、種々の吊下げ収納物を、種々の吊り下げ具場所や位置に、種々の吊り下げ具で、必要時に着脱容易に吊り下げ保持する使い方ができる。そして、例えば軽量で嵩張る材料や物品入の収納袋などは、線状連結部材の長さを自在に調整して、必要な場所に宙吊り状態で吊り下げ保持することにより、空中スペースを有効活用した合理的な保管管理および調達管理ができる。
【００３７】
また、図１４に示すような使い方をすることにより、種々の場所や位置や取付け物などにおいて、吊り下げ保持の外に仮留め保持ができる。例えば種々の連結補助部材を備えた吊下げ具を線状連結部材で連結し合うことにより、種々の場所や位置や向きで着脱容易に仮留め保持ができる。そして、使用用途として例えば作業工程において、不安定で動きやすい物品を連結補助部材付き吊下げ具で押さえることにより安定した作業ができる。
【００３８】
また、図１５の（イ）に示すように、延長材を直線状に伸ばすことにより、摘み部を指先で押して開閉することが困難となるような強力なバネ力を備えた連結補助部材付きのシート状物把持クリップを指先で押すだけで容易に開閉できるようにしている。そしてこれにより、重い収納物などを吊り下げ保持する強力なバネ力を備えた連結補助部材付きのシート状物把持クリップの摘み部を指先で押すだけで容易に開閉して吊り下げ保持することができる。
【００３９】
また、図１５の（ロ）に示すように、延長材の中間部を内側に折り曲げて、ピンセット型の延長材を備えたことにより、小さくて扱い難いクリップを指先で押し易くすることができるようにしている。そしてこれにより、小物を外れることなく的確に把持する小物用の便利なクリップとして活用することができる。
【００４０】
また、図１５の（ハ）に示すように、外側に折り曲げた延長材を備えたシート状物把持クリップにより、所定の位置や角度で仮留め保持を行うスタンド型の仮留め保持具などに活用することができる。
【発明を実施するための最良の形態】
【００４１】
以下、図に基いて本発明の実施形態を説明する。
図１は本発明の基本構成材であるシート状物把持クリップとそのシート状物把持クリップに線状連結部材を備えて成るシート状物吊り下げ具の外観図である。図示されるように、シート状物把持クリップは、幅広の挟持部と吊孔付きの摘み部とから成る一対の挟持片を閉方向に付勢するバネを介して中間の支持部で枢支する挟み具において、一対の挟持片１の内側の挟持部１ａとその外側の挟持部１ｂを相互に対向してすれ違うように且つ内側と外側に重なり合うように互いに内向きに屈曲させ、内側の挟持部１ａとその外側の挟持部１ｂとが相互に対向して重なり合うように回動し且つ噛み合うようにしたシート状物把持クリップＫ０を形成するものとしている。そして、対象となる固定先に対する係止手段を備えた線状連結部材２をそのシート状物把持クリップの吊孔に連結してシート状物吊り下げ具を構成するものとしている。
【００４２】
前記シート状物把持クリップの一対の挟持片１は、金属板または樹脂材を成型したものとしている。また、バネはコイルバネまたは板バネのものとしている。また、線状連結部材２は、金属製または樹脂製の鎖材または樹脂製の紐状材などを用いるものとしている。そして、所定の長さの取り揃えや調整が容易にできるものとしている。また、対象となる固定先に対する係止手段は、線状連結部材２の紐状材を直接的に巻きつけて取付けするものや、または鎖材をフックなどの取付け具により取付けするものや、または後述の連結補助部材付きのシート状物把持クリップにより取付けするものなどによるものとしている。
【００４３】
図２（イ）は、前記図１のシート状物吊り下げ具において、シート状物把持クリップＫ０の内側の挟持部１ａに切り込みを入れて切り込み間部位を一つ置きに外側に折り曲げ、外側の挟持部１ｂの先端部が、外側に折り曲げられた前記切り込み間部位の基端部２１に突き当たるように形成することによってシート状物把持クリップＫ１を形成するものとしている。そして、挟持部の折り曲げは、後述の図１６に示す作用の説明に基づく折り曲げと突き当てと重ね噛み合い部の全面押付け密着保持の作用を行うことにより、ずれの生じないように保持するものとしている。また、図示例では外側に折り曲げ片を二箇所設けているが、一箇所または三箇所以上とすることも可能である。その他については図１のシート状物吊り下げ具に準じるものとしている。
【００４４】
図２（ロ）は、前記図２（イ）のシート状物吊り下げ具において、前記の内側挟持部の折り曲げ部に補強材の折り曲げ片２２を備えたものである。また、シート状物把持クリップのずれ及び傷付き防止の一手段として、相互に対向して重なり合い噛み合う挟持部の表面にゴム材や樹脂材などのクッション材４１を備えたものである。これにより、重い収納物などを吊り下げても外れやずれ落ちや傷付きなどを生ずることなく、的確に保持することができるようにしたものである。
【００４５】
図３は、前記図１のシート状物吊り下げ具において、シート状物把持クリップＫ０の内側の挟持部１ａの屈曲部の外側面に、外側の挟持部１ｂに被さるように折り曲げ片３１を固着し、外側の挟持部１ｂの先端部が前記折り曲げ片３１の固着部３２に突き当たるように形成することによってシート状物把持クリップＫ３を形成するものとしている。
その他については図１および図２のシート状物吊り下げ具に準じるものとしている。
【００４６】
図４および図１６は、シート状物把持クリップＫ１で袋などのシート状物を把持した状態の断面詳細図およびずれ止め把持作用の説明図である。本発明のシート状物把持クリップについては、図１６に図示されるように、接点Ａから接点Ｅのような作用を可能とする挟持部の折り曲げ加工を行うことによりシート状物把持クリップを形成するものとしている。
【００４７】
そして、図１６に図示されるように、先ず、接点Ａにおいて、シート状物把持クリップの内側の挟持部１ａが、シート状物の折り曲げと突き当て密着保持の作用によりずれの生じないように保持する。続いて接点Ｂにおいて、外側の挟持部１ｂが、シート状物を逆方向にしゃくり上げるように折り曲げ且つ二股部の基端部２１に食い込むように二重の折り曲げと突き当て密着保持の作用を行うこと、また、二股部の基端部２１が逆方向から折り返し点の頂部に食い込むように押さえ込んで折り曲げと突き当て密着保持の作用を行うことにより、ずれの生じないように保持する。
【００４８】
さらに続いて、接点Ｃ面において、外側の挟持部１ｂが、折り曲げ面の全面で逆方向に折り曲げされたシート状物を押さえ込むことにより、全面押付け密着保持の作用でずれの生じないように保持する。さらに続いて、接点Ｄ面において、同じく外側に折り曲げられた挟持部１ｃが、折り曲げ面の全面で逆方向に折り曲げされたシート状物を押さえ込むことにより、全面押付け密着保持の作用でずれの生じないように保持する。そしてさらに続いて、接点Ｅにおいて、垂れ下がるシート状物の折り曲げ点に食い込むようにしゃくり上げる保持作用を行うことによってずれの生じないように保持するようにしている。
【００４９】
これに対して、従来型のクリップにおいては、図１７に図示されるように、接点Ａにおける線状の突き当て接触による保持作用だけであり、図１６に図示されるような接点Ａから接点Ｅにおける、二股部の基端部２１で食い込むように押さえ込む折り曲げ突き当ての密着保持作用や、折り曲げ面の全面押付け密着保持作用などが全くないので、ビニール袋などのシート状物を保持する場合にずれの生じ易い構造のものになっている。
【００５０】
また、図５および図６は、前記のシート状物吊り下げ具において、連結補助部材５３の結合部５１は２枚の粘着テープ６１をその両方の粘着面を対向させるとともに対向粘着面間に剥離紙６２を介設し、シート部５２は２枚の粘着テープ６１の粘着面を貼り合せたことによってシート状物および物品の連結補助部材付き吊り下げ具としている。そして、物品の周縁部に粘着テープ６１の剥離紙６２を剥がして取り付けた連結補助部材付き吊り下げ具により、種々の物品を着脱容易に吊り下げ保持できるようにしている。
【００５１】
また、図５および図６は、前記のシート状物吊り下げ具において、連結補助部材５３の結合部５１は２枚のシート状材９１に両面テープ９２を添設し、シート部５２は２枚のシート状材９１を重ね合わせたことによってシート状物および物品の連結補助部材付き吊り下げ具としている。そして、シート状材９１は、前記シート状物把持クリップの挟持部で折り曲げ変形させて把持できる薄手で丈夫で柔軟性のある樹脂製の帯状シートなどを用いるものとしている。
【００５２】
また、図５および図７は、前記のシート状物吊り下げ具において、連結補助部材５３の結合部５１は２枚のシート状材７１に取付け手段を備えた樹脂板または金属板の取付け板７２を添設し、シート部５２は２枚のシート状材７１を重ね合わせたことによってシート状物および物品の連結補助部材付き吊り下げ具としている。そして、シート状材７１は、前記シート状物把持クリップの挟持部で折り曲げ変形させて把持できる薄手で丈夫で柔軟性のある樹脂製や布製の帯状シートなどを用いるものとしている。そして、物品Ｂ１に結合部の取付け板７２をビス留めなどによって取付けした連結補助部材をシート状物把持クリップで挟持することによって、種々の物品を着脱容易に吊り下げ保持できるようにしている。
【００５３】
また、図８は、前記の前記のシート状物吊り下げ具において、連結補助部材５３の結合部５１およびシート部５２を共に連結機能をもつ帯状材８１としたシート状物および物品の連結補助部材付き吊り下げ具としている。そして、帯状材８１は、前記シート状物把持クリップの挟持部で折り曲げ変形させて把持できる薄手で丈夫で柔軟性のある樹脂製や布製の帯状シートなどを用いるものとしている。そして、この連結機能をもつ帯状材８１に種々の取付け材を取り付けて保持するか、または帯状材８１を直に使って取付け材を結ぶことなどにより、種々の物品を着脱容易に吊り下げ保持することを可能としている。
【００５４】
また、図９および図１０は、基台上に直立支柱を１本または複数本直立させ、またその支柱の上部に横架材を配着し、前記直立支柱また前記横架材に、シート状物および物品の連結補助部材付き吊り下げ具を連結してシート状物および物品の吊り下げ装置としている。そして、直立支柱および横架材は、金属製の管状材などを用いたものとしている。また、直立支柱また前記横架材にシート状物および物品の連結補助部材付き吊り下げ具を吊り下げるための貫通孔を設けたものとしている。また、本吊り下げ装置は横架材無しで直立支柱のみに吊り下げ具を連結してシート状物および物品の吊り下げを行うシート状物および物品の吊り下げ装置とすることを可能としている。これにより、狭い場所や使用者の周辺などに本吊り下げ装置を設置して収納物の吊り下げ保持を行うことを可能としている。
【００５５】
また、箱型容器の周縁部に連結補助部材を取り付け、その連結補助部材を介して前記のシート状物吊り下げ具で吊り下げ保持することにより、種々の材質や形状寸法の箱型容器を着脱容易に吊り下げ保持することを可能としている。また、重い物を収納する袋や大型の収納物を収納する大型の袋などについても、前記の箱型容器と同じ要領で吊り下げ保持することを可能としている。また、鎖や紐状材の線状連結部材２の長さを自在に調整して、収納袋や箱型容器を床面に接地した状態で吊り下げ保持することを可能とすることにより、重い収納物や大型の収納物を収納しても容器や吊り下げ装置に荷重負担を掛けることなく着脱容易に吊り下げ保持することを可能としている。
【００５６】
図１１から図１３は、シートの周縁部にシート状物吊り下げ具またはシート状物および物品の連結補助部材付き吊り下げ具を使用した吊り下げ具付きシートとしている。そして、本吊り下げ具付きシートは、シートの周縁部に連結補助部材付き吊り下げ具と線状連結部材２を装着することにより、周縁部にハトメ加工などの施す必要がなく、種々の材質や形状寸法のシート材を種々の取り付け場所に自在に且つ着脱容易に吊り下げ保持することを可能としている。そして、日除けや雨除けシートの外に、掲示板や仕切板や遮蔽板などの吊り下げ具として種々の取り付け場所に自在に且つ着脱容易に吊り下げ保持することを可能としている。
【００５７】
図１４は、線状連結部材２と連結補助部材付き吊り下げ具を活用することにより、空中スペースを有効活用する吊り下げ保持具としての用途の外にも、種々の物品を種々の取り付け場所に自在に且つ着脱容易に仮留め保持することができる仮留め保持具として活用可能としている。そして、例えば作業工程などにおいて、不安定で動きやすい物品を連結補助部材付き吊下げ具で押さえることにより安定した作業ができるようにしている。そして、線状連結部材２の長さを自在に調整することや、両端に取り付ける連結補助部材付き吊り下げ具やそれに取り付けする取付け具を付け替えすることにより、対象物に適合した吊り下げ保持具や仮留め保持具として活用することを可能としている。
【００５８】
図１５はシート状物把持クリップの吊孔付きの摘み部に取り付け機能付の摘み部に延長材を備えたシート状物把持クリップまたは連結補助部材付きのシート状物把持クリップである。また、延長材は金属製または樹脂製の延長材に取付け孔を備えたものとしている。そして、シート状物把持クリップの吊孔付きの摘み部にネジ留めなどにより取り付けたものとしている。
【００５９】
そして、図１５（イ）の延長材Ｅ１は、延長材を直線状に伸ばすことにより、摘み部を指先で押して開閉することが困難となるような強力なバネ力を備えた連結補助部材付きのシート状物把持クリップで、重い収納物などをずれ落ちすることなく的確に保持することを可能としている。また、図１４（ロ）の延長材Ｅ２は、逆に小物把持クリップ用として延長材Ｅ１の中間部を内側に折り曲げてピンセット型にしたもので、小さい収納物などをずれ落ちすることなく的確に保持することを可能としている。また、図１５（ハ）の延長材Ｅ３は、延長材Ｅ１の中間部を外側に折り曲げしたもので、所定の位置や角度でシート状物や物品を仮留め保持することを可能としている。
【産業上の利用可能性】
【００６０】
本発明のシート状物および物品の吊下げ具とそれを活用した吊下げ装置は、収納袋類や日除け雨除けシート類などのシート状物を吊り下げ保持する利用法以外に、種々の作業などにおいて、種々の形状寸法のシート状物や物品を所定の場所や位置に着脱容易に仮留め保持する仮留め保持用具としても活用できる。また、店内の装飾物や広告物や商品などをディスプレーする吊下げ保持具や仮留め保持具としても活用できる。また、開封した重くて大きい袋の内容物が毀れ出さないように、袋の口をいちいち紐などで結んで留めるのは面倒なものであるが、これらの袋の口を着脱容易に留める留め具など便利な留め具や固定具としても活用できる。
【図面の簡単な説明】
【００６１】
【図１】折り曲げた内側の挟持部と外側の挟持部とを噛み合せたシート状物把持クリップＫ０の概観図である。
【図２】シート状物把持クリップＫ０において、折り曲げた内側の挟持部に切り込みを入れて外側に折り曲げした挟持部と外側の挟持部とを噛み合せたシート状物把持クリップＫ１の概観図である。また、内側挟持部の折り曲げ部に補強材を形成し、また、シート状物把持クリップのずれ及び傷付きの防止手段を備えたシート状物把持クリップＫ１の概観図である。
【図３】シート状物把持クリップＫ０において、折り曲げた内側挟持部の外側に折り曲げ片を固着した挟持部と外側の挟持部とを噛み合せたシート状物把持クリップＫ２の概観図である。
【図４】シート状物把持クリップＫ１でシート状物を吊下げ保持する状態の側面断面図である。
【図５】シート状物把持クリップＫ１に連結補助材５３を備えたシート状物および物品の連結補助材付吊り下げ具で、物品またはシート状物を吊下げ保持する状態の側面概観図である。
【図６】２枚の粘着テープ６１と剥離紙６２、または、２枚のシート状材９１と両面テープ９２を備えた連結補助部材付き吊り下げ具で物品またはシート状物を吊下げ保持する状態の概観図である。
【図７】２枚のシート状材７１と取付け板７２を備えたシート状物および物品の連結補助部材付き吊り下げ具で物品またはシート状物を吊下げ保持する状態の概観図である。
【図８】２枚の連結機能をもつ帯状材８１を備えたシート状物および物品の連結補助部材付き吊り下げ具の概観図である。
【図９】直立支柱と横架材とシート状物および物品の連結補助部材付き吊り下げ具で構成するシート状物および物品の吊り下げ装置で収納袋および箱型容器を吊下げ保持する状態の概観図である。
【図１０】直立支柱と横架材とシート状物および物品の連結補助部材付き吊り下げ具で構成するシート状物および物品の吊り下げ装置で板状物の物品および立体形の物品を吊下げ保持する状態の概観図である。
【図１１】シート状物および物品の連結補助部材付き吊り下げ具を使用した吊り下げ具付きシートを自動車にセットした状態の概観図である。
【図１２】シート状物および物品の連結補助部材付き吊り下げ具を使用した吊り下げ具付きシートをベランダにセットした状態の概観図である。
【図１３】シート状物および物品の連結補助部材付き吊り下げ具を使用した吊り下げ具付きシートを自動車にセットした状態の詳細概観図である。
【図１４】シート状物および物品の連結補助部材付き吊り下げ具の使い方の概観図である。
【図１５】シート状物把持クリップの吊孔付きの摘み部に摘み部延長材を取り付けた状態の概観図である。
【図１６】シート状物把持クリップの折り曲げ押付けによるずれ止め作用の説明図である。
【図１７】従来の目玉クリップのずれ止め作用の説明図である。
【符号の説明】
【００６２】
１    一対の挟持片
１ａ  内側の挟持部
１ｂ  外側の挟持部
２    線状連結部材
２１  外側に折り曲げられた切り込み間部位の基端部
２２  内側挟持部折り曲げ部に形成可能なる補強材の折り曲げ片
３１  内側の挟持部に固着した折り曲げ片
３２  内側の挟持部に固着した折り曲げ片の固着部
４１  シート状物把持クリップのずれ及び傷付きの防止手段
５１  連結物に対する結合部
５２  シート状物把持クリップの挟持部で折り曲げ変形させて把持できるシート部
５３  連結補助部材
６１  連結補助部材の２枚の対向する粘着テープ
６２  対向する粘着テープの粘着面間に介設した剥離紙
７１  連結補助部材の２枚の対向するシート状材
７２  対向するシート状材に添設した樹脂板または金属板の取付け板
８１  連結補助部材の結合部とシート部に共に連結機能をもつ帯状材
９１  連結補助部材の２枚の対向する両面テープ用のシート状材
９２  対向する２枚のシート状材に介設した両面テープ
Ａ    内側の挟持部１ａによる先端部突き当て押付け接点
Ｂ    外側の挟持部１ｂによる先端部突き当て押付けと二股部の折り曲げ食い込み接点
Ｃ    外側の挟持部１ｂによる全面押え込み密着保持の接点
Ｄ    外側に折り曲げた挟持部による全面押え込み密着保持の接点
Ｅ    外側に折り曲げた挟持部の突き当て折り曲げ接点
Ｂ１  板状物の物品
Ｂ２  箱型容器
Ｂ３  立体形の物品
Ｅ１  直型摘み部延長材
Ｅ２  内曲げ型摘み部延長材
Ｅ３  外曲げ型摘み部延長材
Ｈ１  １本立ての直立支柱
Ｈ２  複数本立ての直立支柱
Ｋ０  内側の挟持部と外側の二つの挟持部が噛み合うシート状物把持クリップ
Ｋ１  内側の挟持部に切込みを入れ三つの挟持部が噛み合うシート状物把持クリップ
Ｋ２  内側の挟持部に折り曲げ片を固着したシート状物把持クリップ
Ｋ３  従来の目玉クリップ
Ｓ１  袋類のシート状物
Ｓ２  日除け類のシート状物
Ｔ１  対象となる固定先
Ｙ１  横架材
【図１】
2006316958.tif 000003
【図２】
2006316958.tif 000004
【図３】
2006316958.tif 000005
【図４】
2006316958.tif 000006
【図５】
2006316958.tif 000007
【図６】
2006316958.tif 000008
【図７】
2006316958.tif 000009
【図８】
2006316958.tif 000010
【図９】
2006316958.tif 000011
【図１０】
2006316958.tif 000012
【図１１】
2006316958.tif 000013
【図１２】
2006316958.tif 000014
【図１３】
2006316958.tif 000015
【図１４】
2006316958.tif 000016
【図１５】
2006316958.tif 000017
【図１６】
2006316958.tif 000018
【図１７】
2006316958.tif 000019